(57)【要約】枠組み（２）、第一接触面（６）、枠組み（２）に関連して移動可能に配置されたロック部材（３）、ロック部材（３）の第一先端に配置された第二接触面（７）、そしてロック装置（４）を有する安全保管装置（１）である。ロックされる物品（１０）は接触面（６，７）の間に配置され、その後、ロックされる物品（１０）を接触面（６，７）の間にはめ込む為に、ロック部材（３）を第一接触面（６）に向かって移動する。ロック時には、ロック装置（４）は、ロック部材（３）の第一接触面（６）から離れる移動を防止する為に配置されることにより、ロック部材（３）に作用する。
2005517846.tif 000002
【特許請求の範囲】
【請求項１】
枠組み（２）と、
第一接触面（６）及び第二接触面（７）と、
第一の先端に第二接触面（７）が配置されたロック部材（３）であって、ロック部材（３）を第一接触面（６）方向に移動させることにより、ロックされる物品（１０）が第一接触面（６）と第二接触面（７）の間にロック可能であるように、枠組み（２）に対して移動可能に配置されたロック部材（３）と、
ロック時にロック部材（３）が第一接触面（６）から離れることを防止するために配置されたロック装置（４）であって、ロック部材（３）の移動を解放するため、所定の識別子（９，１６）により開くことができるロック装置（４）と、
を少なくとも有する安全保管装置（１）であり、
ロック部材（３）はロック装置（４）が作用するために配置された軸部分を備えており、
ロック部材（３）が上記軸部分に対して実質的に長手方向（Ａ）の力を受けることにより、移動可能に配置されており、さらに、
ロック装置（４）が枠組み（２）とロック部材（３）の間に配置されたロック部品（１７）を備えている物品をロックするための安全保管装置であって、
ロック装置（４）がロックされている時には、ロック部品（１７）がロック部材（３）の軸部分に対して押圧され、ロック部材（３）の移動を防止する摩擦力を発生するように配置されていることを特徴とする物品をロックするための安全保管装置。
【請求項２】
ロック部品（１７）がロック部材（３）に対して押し付けられるように配置されることを特徴とする請求項１に記載の安全保管装置。
【請求項３】
ロック装置（４）は軸の横方向に開口（１８）を備えたロック部品（１７）を有し、ロック部材（３）の軸部分が上記開口（１８）を通って配置され、ロック部材（３）とロック部品（１７）が互いに交差しており、
ロック部品（１７）の開口（１８）は、ロック部材の軸部分の断面積よりも寸法的に大きくなっており、枠組み（２）とロック部品（１７）の第一先端の間にはロック部品（１７）の回転を可能にする支点があり、支点はロック部品（１７）の第一先端が第一接触面（６）から離れることを防止するために配置されており、そして、
ロック部品をロック部材（３）の軸に対して斜めの位置に保持するために、ロック装置（４）がロックされているときに、ロック部品（１７）に作用する力を発生させるために配置された少なくとも１つの作動装置を備え、それにより、ロック部品（１７）がロック部材（３）の軸部分の外側表面に押圧されているとき、ロック部材（３）が第一接触面（６）から離れる移動を防止する
ことを特徴とする請求項２に記載の安全保管装置。
【請求項４】
作動装置はばね部材（２０）であり、
ロック装置（４）がロック時に、ばね部材（２０）はロック部品（１７）の第二先端を第一接触面から離すために配置されており、
ロック部材（３）に加えられる第一接触面（６）への長手方向（Ａ）に作用する力は、ロック部品（１７）の第二先端を第一接触面（６）に向かって移動させ、したがって、ロック部材（３）とロック部品（１７）の間の押圧を解放し、ロック部材（３）を第一接触面（６）に向かって移動可能にする
ことを特徴とする請求項３に記載の安全保管装置。
【請求項５】
ロック装置（４）が少なくとも１つの楔形のロック部品（１７）を備えており、
ロック部材（３）と枠組み（２）の間には隙間があり、
ロック部品（１７）が上記隙間に移動可能に配置され、
ロック装置（４）がロック部品（１７）を上記隙間に押し込むために配置された作動装置を備えている
ことを特徴とする請求項２に記載の安全保管装置。
【請求項６】
第一接触面（６）に近い距離にある楔形のロック部品（１７）の先端が、もう一方の先端よりも大きい断面を有しており、
作動装置がばね部材（２０）であり、
ばね部材（２０）はロック装置（４）がロック時には、ロック部品（１７）を第一接触面（６）から離れるように押す為に配置されおり、
ロック部材（３）に加えられる第一接触面（６）への長手方向（Ａ）に作用する力は、ロック部品（１７）を第一接触面（６）に向かって移動させ、したがって、ロック部材（３）とロック部品（１７）の間の押圧を解放し、ロック部材（３）を第一接触面（６）に向かって移動可能にする
ことを特徴とする請求項５に記載の安全保管装置。
【請求項７】
ロック装置（４）が鍵（９）によって開けられる機械錠を備えていることを特徴とする上記請求項のいずれかに記載の安全保管装置。
【請求項８】
ロック装置（４）が電子識別子を読込むために読取装置（２２）を備えていることを特徴とする請求項１〜６のいずれかに記載の安全保管装置。
【請求項９】
ロック装置（４）が自動支払機（１１）を備えていることを特徴とする上記請求項のいずれかに記載の安全保管装置。
【発明の詳細な説明】
【技術分野】
【０００１】
本発明は枠組み、第一接触面、そして、第二接触面、第一の先端に第二接触面が配置されたロック部材、ロック部材を第一接触面方向に移動させることにより、ロックされる物品が第一接触面と第二接触面の間にロックできるように、枠組みと対応して移動可能に配置されたロック部材、ロック時にロック部材が第一接触面から離れることを防止するために配置されたロック装置、ロック部材の移動を解放するため、所定の識別子により開くことができるロック装置、を少なくとも有する安全保管装置であり、ロック部材がロック装置が作用するために配置された軸部分を備えており、ロック部材が上記軸部分に対して実質的に長手方向の力を受けることにより、移動可能に配置されており、さらに、ロック装置が枠組みとロック部材の間に配置されたロック部品を備えている物品をロックするための安全保管装置に関する。
【背景技術】
【０００２】
レストラン、劇場、コンサートホール、スポーツ会場、来客の応接会場等で、来客者の服や他の物品を一時的に保管する安全な保管場所への必要性がある。しかしながら、監視付のコート預かり室を配置することは高価であり、例えば空間の不足から、全ての場所では不可能である。その結果、来客者が彼らの衣類を固定するための様々なロック可能な衣類ラックが開発されてきた。
【０００３】
米国特許第７２５，４４１号にはＣ形状の取り付け用金具を備えるラックが開示されている。衣類は下部アームの固定ディスクと可動式アームに配置された第二ディスクの間に留められる。しかしながら、開示されているラックは、必要な押圧運動がその軸の周りにアームを回転させることにより提供されるので、動作が遅く、使用が困難である。さらに、別個の南京錠の使用を必要とするので、ロックが困難である。
【０００４】
ＷＯ９０／０７０４６号公報には固定された接触面と移動可能な接触面を備えた衣服をロックする為の器具が開示されている。移動可能な接触面はスクリュー機構により固定された接触面に向かって移動可能であり、その接触面の間に配置された衣服がその間で押圧されるのを可能にしている。スクリュー機構の使用は押圧の不当な解放を防止するロック器具により無効になり得る。この器具の問題はスクリュー機構による接触面の移動が遅く、扱いにくいことである。
【０００５】
米国特許８９２，４０７号には、Ｃ形状の枠組みを備えるラックが開示されている。上部枠組みは管状、且つ弧状の棒で、相対的に下降して配置されており、棒の一番外側の先端にある接触面は下部枠組みにある固定された接触面に対して、接触面の間に衣服を固定する為に、移動可能になっている。棒が所定のロック位置に移動した時、弧状の棒のアームの溝に適合するように配置されたロッキングプレートを備えた枠組みにロック装置は固定されている。当該解決法の欠点は、棒に備えられた溝の位置により決められる、与えられた位置のみでしか固定できないことである。その結果、ラックは与えられた厚さの物品の固定にしか適さない。
【発明の開示】
【発明が解決しようとする課題】
【０００６】
本願発明の目的は新しく、改善された様々な物品の安全保管の為のロック可能な装置を提供することである。
【課題を解決するための手段】
【０００７】
本願発明の安全保管装置(safety storage device)の特徴は、ロック装置(locking device)がロック時に、ロック部品(locking piece)がロック部材(locking member)の軸部分に対して押圧されるように配置されており、ロック部材の移動を防止する摩擦力を発生することである。
【０００８】
本願発明のもっとも重要な発想はロック部材が軸部分を備えており、ロック装置に含まれるロック部品がその軸部分に作用するように配置されていることである。ロック部品は枠組みとロック部材の間に、ロック時に適応する作動装置により上記軸に対して押圧されるのを可能にする方法で配置されている。その結果、押圧の作用によりロック部材とロック部品の間に、ロック部材が第一接触面から離れることを防止する力である摩擦力が生じる。
【０００９】
本願発明の利点は、ロック部材は無段で望む位置にロックすることが出来るので、例えば、様々な厚さそして構造の物品をロックする為に様々な方法で利用可能な点である。本願発明の安全保管装置は使用も簡単で、素早くできる。また、構造は簡単で、製造費用もかからず、擦り切れも良く抑える。
【００１０】
本願発明の実施態様の必要不可欠な発想は、ロック部品は第一先端で枠組みに支持され、ロック部品は支点に対応して回転可能であることである。ロック部品は横断する開口を備えており、その開口を通ってロック部材の軸部分が配置されている。ロック部品が斜めの位置に回転し、それによって、ロック部品の開口の端がロック部材の軸に対して押し込まれることにより、ロックは行われる。上記のような解決手段は製造費用がかからず、簡単である。さらに、ロック部品に作用する力は非常に小さいが、高い摩擦力と安定したロックを達成する。
【００１１】
本願発明の実施態様の必要不可欠な発想は、一つ又はそれ以上の楔形のロック部品を手段とし、ロックを達成することである。ロック部品はロック部材と枠組みの間の隙間にロック部材の軸部分に対してきつく押し込まれる方法ではめ込まれ、したがって、ロック部材の移動を防止する。適切な楔形のロック部品を選択することにより、ロック部品を移動するのに必要な力は相対的に小さくなる。
【００１２】
本願発明の実施態様の必要不可欠な発想は、ロック時にロック部品が第一接触面に向かって移動可能であることである。このことにより、まず初めに鍵等の識別子を使いロックをし、その後ロック部材をロック位置に押し込むことを可能にする。時として、この方が物品のロックをより早く、簡単にする。
【発明を実施するための最良の形態】
【００１３】
図１は、枠組み２、枠組み２に移動可能に配置されたロック部材３、そしてロック装置４を備えた安全保管装置を図示している。図１の実施形態では、ロック部材３は適切な軸受部材５により枠組み２に支持される実質的にはＵ形状の部品である。ロック部材３は金属又は他の十分に硬い物質から作られているので、それに対して力が加えられても形状を維持する。さらに、ロック部材３は枠組み２に対応して回転することを、例えば、ロック部材３が回転できない対称角度の断面を有していることにより、防止されている。その上、枠組み２は第一接触面６を備えている。第一接触面６は一般的には固定されているが、もし必要であれば、調整可能に形成できる。必要であれば、第一接触面６はロック可能な物品の固定を確実にする為、表面を適切な材料で被覆したり、又は粗くしたりできる。ロック部材３の第一の先端は第二接触面７を有している。第二接触面７は形状、材料、そしてその他の性質がロックされる特定の物品に合わせて調整される圧迫端８を備えている。その結果、衣服の為の装置では、圧迫端８は衣服の損傷を防止する為にある程度一緒に押圧される弾力性のある物質が好ましい。さらに、滑りやすい表面を有している物品には、例えば、ゴム製の圧迫端８が選択されることにより、第二接触面７とロックされる物品との間に必要な摩擦力が生ずる。又、図９及び１０では、圧迫端８のさらなる実施形態が図示されている。
【００１４】
図１に図示された安全保管装置１は、鍵９を用いて作動されるロック装置４により機能する。鍵９はロック装置４から取外し可能である。ロックされる物品１０、この場合は衣服は、第一接触面６と第二接触面７の間の隙間に配置される。それから、ロック部材３はA方向に第一接触面６に向かって手動で押し進められる。次に、ロック部材３は図１に点線により図示されている位置に移動し、ロックされる物品１０を第一接触面６に対して押圧することにより、接触面６，７とロックされる物品１０との間に必要な摩擦力を発生される。ロックされる物品１０はロック部材３を第一接触面６から離すことにより押圧を開放しなければ、第一接触面６と第二接触面７の間から移動できない。ロックされる物品１０が開放される時は、鍵９によりロック装置４が開錠され、するとすぐにロック部材３は手動で後方に移動できる。ロック装置４が開錠されるとロック部材３を自動的に後方の位置に戻す為のバネをロック部材３と関連して配置することもできる。
【００１５】
ロック時に、ロック装置４は第一接触面６からロック部材３が離れることを防止する為に配置され、したがって、安全保管装置１からロックされる物品１０を移動するには、ロック装置４は所定の識別子、この場合は鍵９、の使用により開錠されなければならない。しかしながら、ロック時にロック部材３の第一接触面６方向への移動を可能にするように設計することができる。このことにより、使用者は簡単にロックされる物品１０を片手で接触面６，７の間に保持すると同時に、もう一方の手でロック部材３を第一接触面６に向かって押し、必要な圧力を実現することを可能にする。ロック装置４は、第一接触面６から望む距離に無段でロック部材３をロックできる。本願発明のロック装置４の他の構成が図３〜７に図示されている。
【００１６】
図１に図示されたロック装置４は、この場合は硬貨１２により作動する自動支払機１１も備えている。その代案として、自動支払機１１はコイン(token)を受け取ることができ、自動支払機１１は電子マネーカードを読み取ることができ、携帯電話によって電子マネーカードに送金された支払金を受け取ることができる。支払金が受領されたら、ロック装置４は鍵９或いは同様のもので作動できる。支払いがなされるまでは、ロック装置４はロックできない。その代案として、支払いがなされるまで、ロック装置４はロック部材３を完全に開放した位置に保持することもできる。
【００１７】
図１に図示された安全保管装置１は、例えば、建物の固定された壁、或いは、適切な移動可能な構造物の表面等の、壁面１３に固定される。壁面１３はＵ形状のロック部材３のより長い分枝３ａにある第二先端が壁面１３の反対側に達することを可能にする開口１４を備えている。図２に図示された安全保管装置１は、対照的に、壁面１３の片側でのみ移動するように配置され、様々な場所で設置することが簡単にできる。図２の解決法では、壁面１３が第一接触面６としても作用する。
【００１８】
図２では、ロック部材３は第一先端に第二接触面７として機能する圧迫端８を備える細長い棒である。ロック部材３のもう一方の先端はロック部材３を手動で第一接触面６に向かって押すことを容易にする為の拡大部分１５を備えている。図２では、第一接触面６として機能する壁面１３に対してロック部材３により押圧される、ロックされる物品１０はスキーである。ロック装置４は鍵として使用される電子カード１６を識別する為に配置された読取装置２２を備えている。代案としては識別番号を入力する方法のロック装置４を備えることもできる。
【００１９】
図３及び４はロック装置４の原理を図示する。ロック部材３は図３及び４に図示されるように棒、或いは、図１に図示されるように実質的にはＵ形状のアームでも可能であり、ロック装置４はアームのより長い軸部分、すなわち、分枝３ａに配置されている。ロック装置４は、例えば、適切な棒状又は板状の構造のロック部品１７を備えている。ロック部品１７は軸に対して横方向に開口１８を備えている。開口１８はロック部材３の断面よりも面積が大きくなっている。代案としては、ロック部品１７は図３に図示された、閉じた開口に機能的に対応する、外縁にまで至る切欠状の開口を備えていてもよい。ロック部品１７はロック部材３の軸の横方向に配置され、ロック部材３が緩んだ開口１８を通っている。さらに、ロック部品１７の第一先端は接合部１９により枠組み２に支持され、ロック部品１７が上記接合部１９に対してＢ方向へ回転することを可能にしている。図３では、ロック部品１７はロック位置にある、すなわち、ロック部品１７の第二先端をＣ方向に、第一接触面６から離れる方向に押すばね力を受けさせる為にばね２０を使用している。この場合、ロック部品１７はロック部材３の軸に対して斜めの位置にあり、開口１８の端がロック部材３の軸部分の外側表面に対してきつく楔のように当接している。その結果として、ロック部材３とロック部品１７の間に高い表面圧力が生じ、その結果、ロック部材３が第一接触面６から離れる方向への移動を阻止できるほどの高い摩擦力が発生する。たとえばね力が比較的低くても、ロック部材３とロック部品１７の間の摩擦係数が比較的小さくても、この解決法は十分なロック力（締付け力）の発生を可能にする。ロックされたロック部材３を第一接触面６から力強く離そうとすると、この力がロック部品１７を接合部１９に対してより傾いた位置へと回転させ、それにより、ロック部品１７はますますきつくロック部材３の外側表面に対して押し付けられ楔のように当接する。これにより、ロック部材３とロック部品１７の間により大きい表面圧力が生ずる。ロック部材３がＡ方向への、第一接触面６へ向かって移動する力を受けた時、ばね２０はロック部品１７の第二先端を第一接触面６に向かって移動させ、それにより、ロック部材３とロック部品１７の間の押圧は減少し、ロック部材３の軸は開口１８に対して移動することができる。目的に適応するどんな機械的、電気的、又は圧力を媒介として駆動するばね手段も使用可能である。
【００２０】
図４では、ロック部材３の枠組みに支持されていない方の先端は開放装置２１によりＤ方向へ、第一接触面６へ向かって移動され、ロック部材３の周りの開口１８が緩くなる。この方法により、ロック部材３は縦方向に、Ｅ方向に、ロック部品１７に対して実質的に制限されずに移動できる。開口１８の端はロック部材の軸に押圧されていない。ロックに必要なばね力が大きくないので、開放装置２１により達成される力も比較的小さくなる。開放装置２１は、例えば、鍵９により回転する適切なレバーでもよい。代案としては、開放装置２１は、例えば、電気作動装置でもよい。
【００２１】
もしロック後に、ロック部材３の第一接触面６へ向かっての移動を可能にすることが必要でない場合は、ばね２０の代わりに別の形式の作動装置も使用できる。この場合、開放装置２１は作動装置の役割も果たすことができ、開放装置２１はロック部品１７を開放位置に移動する一方、ロック装置４がロック時には、ロック部材３の軸部分に対してロック部品１７が押し込められるのを保持するように配置できる。
【００２２】
図５では、ロック部品１７の第一先端は接合部を備えておらず、しかし枠組み２に対して直接支持されている。しかしながら、ロックは、図３及び４で図示されたのと同じ方法で行われる。明瞭性の為に、開放装置２１は図示されていない。
【００２３】
図３乃至５に図示されたロック原理に関しては、ロック部材３の軸の断面は必要不可欠な重要性を持っていない。図３及び４では、ロック部材３の軸の断面は円形であり、これに対して、図５では、軸の断面は角形である。さらに、ロック部材３の軸の外側表面は磨耗耐久性のある、例えば、クロムメッキで、表面処理できる。この場合でも、ロック部品１７により達成される高い表面圧力が必要な締付け力を確保する。
【００２４】
図６は、楔形のロック部品１７を有するロック装置４を図示している。ロック部品１７はより大きい断面を有している先端が第一接触面６により近い方に配置されている。ロック部材３と枠組み２の間には隙間があり、その隙間の間にばね２０はロック部品１７をＣ方向に移動させ、ロック部品１７はロック部材３の外側表面に対してきつく押圧される。枠組み２も楔形の接触面を有していることが望ましい。もしロック位置において、ロック部材３を第一接触面６から離そうと引っ張ると、ロック部品１７がロック部材３と枠組み２の間で押し込まれることにより、ますます大きな締付け力が発生される。もしロック部材３がＡ方向に、第一接触面６に向かって押されたら、ばね２０はロック部品１７のＡ方向への移動を可能にし、ロック部材３が第一接触面６に向かって移動することを可能にする。いくつかの実施形態では、ばね２０は削除でき、その場合、ロック部品１７は適切な作動装置によりロック位置に移動される。さらに、楔形のロック部品１７を図６に図示されているものと反対に、すなわち、より狭い先端を第一接触面６に向かって配置することもできる。
【００２５】
図７では、楔形のロック部品１７は開放装置２１によりＤ方向に、第一接触面６に向かって押されており、それにより、ロック部品１７はもはやロック部材３と枠組み２の間の隙間に押し込まれておらず、ロック部材３の縦方向、Ｅ方向への移動を可能にする。
【００２６】
図８はラチェット機構に基づいて作用する代案のロック装置４を図示している。この場合、ロック部材３の外側表面は溝２３を備えており、第一接触面６の側方にある溝２３の第一側面２４はロック部材３の軸と実質的に垂直である。溝２３の第二側面２５は傾いている。この場合、ロック部品１７の第二先端は、ばね２０によりＣ方向に作用された時、溝の第一側面２４に対して支持される。前記図3から７までとの区別として、ロックは形状ロックに基づいており、ロック部材とロック部品の間の摩擦力ではない。ロック部品１７の第一先端は接合部１９により枠組みに回転可能に支持されている。当該ラチェット機構はロック部材３が実質的に自由に第一接触面６に向かって、Ａ方向に押されて移動することを可能にする。前記図3から７までとの区別として、第一接触面６から離れる移動のロックは溝２３の間の距離に基づいて段階的に行われる。図８の機構はロックできる物品が接触面の間で的確な強さの力で押圧される必要がない状況に適している。例えば、図１０に図示されるような成形した接触面と一緒にも適用できる。図８に図示されたロック装置４が開錠されたとき、ロック部品１７の第二先端は開放装置２１により溝２３から移動される。それ自体が知られているラチェット機構の構造は図８に図示された構造以外にもあり得る事は当業者には明白である。したがって、溝２３はその軸の周りを回転するように配置されたラチェットホイールの中に配置することもでき、ラチェットホイールは適切な伝達部材によりロック部材３に結合され、ロック部材３の移動によりラチェットホイールはその軸の周りを回転する。
【００２７】
図９は、スキー道具のロックの為、お互いに隣に配置されたいくつかの安全保管装置１を図示している。安全保管装置１は共通の枠組み２を有している。枠組み２は後部壁２６を備えており、同時にそれぞれの装置１の第一接触面６としての役目も果たしている。側面にそって安全保管装置１のロック空間を規定する為の分離壁２７が後部壁２６から突出して配置されている。それぞれのロック空間は本願発明の原理に従って移動可能なロック部材３を備えており、ロック部材を移動することにより、スキーやスノーボードが押圧され、後部壁２６とロック部材３の圧迫端８の間にロックされる。明瞭性の為に、図９はロック装置を図示していない。
【００２８】
図１０は、例えば、自転車のロックに適した安全保管装置１の一部を図示している。第一接触面６と第二接触面７はお互いに向かい合って配置されたときに、接触面の間の空間２８を規定するように設計されている。このことにより、例えば、自転車フレーム２９を接触面６，７の間に、接触面６，７をロックされる物品に対してきつく押圧することなく、ロックすることができる。このことにより、例えば、繊細な塗装された表面に対する押圧による損傷を避けることができる。
【００２９】
図面と関連する記載は、ただ本願発明の発想を図示することを意図している。本願発明の詳細は特許請求の範囲の中で、多様である。結果として、本願発明の発想は、ロック部材が電動又は媒介駆動作動装置によりロック位置まで移動させられる安全保管装置にも適用可能である。この場合、作動装置はロックする力を受ける必要はないが、作動装置はロック部材の移動装置としてのみ作用する。
【図面の簡単な説明】
【００３０】
【図１】本願発明の安全保管装置の部分的側断面概略図である。
【図２】本願発明の第二安全保管装置の側面概略図である。
【図３】本願発明の安全保管ロック装置のロック位置における側面概略図である。
【図４】図３に記載のロック装置の原理の開放位置における側面概略図である。
【図５】本願発明の第二ロック装置の原理のロック位置における側面概略図である。
【図６】本願発明の楔形のロック部品を適用したロック装置の原理のロック位置における側面概略図である。
【図７】図６に記載のロック装置の開放位置における側面概略図である。
【図８】代替案、すなはち、ラチェット機構を適用したロック装置の原理のロック位置における側面概略図である。
【図９】本願発明のスキー用具のロックに適した安全保管装置の正面概略図である。
【図１０】接触面の形状の代替案の側面概略図である。
【符号の説明】
【００３１】
１  安全保管装置
２  枠組み
３  ロック部材
３ａ  分枝
４  ロック装置
５  軸受部材
６  第一接触面
７  第二接触面
８  圧迫端
９  鍵
１０  物品
１１  自動支払機
１２  硬貨
１３  壁面
１４  開口
１５  拡大部分
１６  電子カード
１７  ロック部品
１８  開口
１９  接合部
２０  ばね
２１  開放装置
２２  読取装置
２３  溝
２４  第一側面
２５  第二側面
２６  後部壁
２７  分離壁
２８  空間
２９  自転車フレーム
【図１】
2005517846.tif 000003
【図２】
2005517846.tif 000004
【図３】
2005517846.tif 000005
【図４】
2005517846.tif 000006
【図５】
2005517846.tif 000007
【図６】
2005517846.tif 000008
【図７】
2005517846.tif 000009
【図８】
2005517846.tif 000010
【図９】
2005517846.tif 000011
【図１０】
2005517846.tif 000012
【国際調査報告】
2005517846.tif 000013
2005517846.tif 000014
2005517846.tif 000015